【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
基板上に、一対の電極と、該電極間に発光材料を含有する発光層を含む少なくとも一層の有機層を有する有機電界発光素子であって、該発光層が、下記一般式（１）で表される化合物と一般式（Ｄ−１）で表される化合物とを少なくとも一種ずつ含有することを特徴とする有機電界発光素子。
【化１０１】
2011054927.tif 000001
（式中、Ｒ１１〜Ｒ１８はそれぞれ独立に水素原子、アルキル基、脂環式炭化水素基、アリール基、フッ素基、シアノ基、シリル基、又はヘテロ環基を表す。Ｃｚ１１、及びＣｚ１２はそれぞれ独立に下記部分構造（Ｃｚ−１）を表す。）
【化１０２】
2011054927.tif 000002
（式中、Ｒ１９〜Ｒ１１６はそれぞれ独立に水素原子又はアルキル基を表す。Ｓ１１は下記（ａ）〜（ｅ）のいずれかで表される基を示し、Ｒ１９〜Ｒ１１２中のいずれかひとつとして置換する。ｎは０又は１の整数を表す。）
【化１０３】
2011054927.tif 000003
【化１０４】
2011054927.tif 000004
（一般式（Ｄ−１）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはアルキル基又はアリール基である。ｋは０〜３の整数であり、ｋが０の場合のＲ１’〜Ｒ８’の炭素数の総数は２以上である。）
ただし、基板上に、一対の電極と、該電極間に発光材料を含有する発光層を含む少なくも一層の有機層を有する有機電界発光素子であって、該発光層が、下記一般式（１）’でされる化合物と一般式（Ｄ−１）’で表される化合物とを少なくとも一種ずつ含有することを特徴とする有機電界発光素子を除く。
【化１０５】
2011054927.tif 000005
（式中、Ｒ１１’〜Ｒ１８’はそれぞれ独立に水素原子、アルキル基、又はアリール基を表す。Ｃｚ１１’、及びＣｚ１２’はそれぞれ独立に下記部分構造（Ｃｚ−１）’を表す。）
【化１０６】
2011054927.tif 000006
（式中、Ｒ１９’〜Ｒ１１６’はそれぞれ独立に水素原子又はアルキル基を表す。Ｓ１１’は下記（ａ）’〜（ｅ）’のいずれかで表される基を示し、Ｒ１９’〜Ｒ１１２’中のいずれかひとつとして置換する。ｎ’は０又は１の整数を表す。）
【化１０７】
2011054927.tif 000007
【化１０８】
2011054927.tif 000008
（一般式（Ｄ−１）’中、Ｒ１’〜Ｒ１２’はそれぞれ独立に水素原子、アルキル基、アリール基、フッ素基、又はシアノ基を表す。Ｒ１’’〜Ｒ８’’はそれぞれ独立に水素原子、アルキル基、フッ素基、トリフルオロメチル基、又はシアノ基を表す。Ｒ１’〜Ｒ１２’及びＲ１’’〜Ｒ８’’のうち少なくとも一つはアルキル基又はアリール基である。ｋ’は０〜３の整数であり、ｋ’が０の場合のＲ１’’〜Ｒ８’’の炭素数の総数は２以上である。）
【請求項２】
前記一般式（１）で表される化合物が、下記一般式（２）で表されることを特徴とする請求項１に記載の有機電界発光素子。
【化１０９】
2011054927.tif 000009
（式中、Ｒ２１〜Ｒ２８は水素原子、アルキル基、脂環式炭化水素基、アリール基、フッ素基、シアノ基、シリル基、又はヘテロ環基を表す。Ｃｚ２１、Ｃｚ２２はそれぞれ独立に下記部分構造（Ｃｚ−２）をあらわす。）
【化１１０】
2011054927.tif 000010
（式中、Ｒ２９〜Ｒ２１５は水素原子又はアルキル基を表す。Ｓ２１は上記（ａ）〜（ｅ）のいずれかで表される基を表す。）
【請求項３】
前記一般式（１）で表わされる化合物が、下記一般式（３）で表されることを特徴とする請求項１に記載の有機電界発光素子。
【化１１１】
2011054927.tif 000011
（式中、Ｒ３１〜Ｒ３８は水素原子、アルキル基、脂環式炭化水素基、アリール基、フッ素基、シアノ基、シリル基、又はヘテロ環基を表す。Ｃｚ３１、Ｃｚ３２はそれぞれ独立に下記部分構造（Ｃｚ−３）をあらわす。）
【化１１２】
2011054927.tif 000012
（式中、Ｒ３９〜Ｒ３１５は水素原子又はアルキル基を表す。Ｓ３１は上記（ａ）〜（ｅ）のいずれかで表される基を表す。）
【請求項４】
前記一般式（Ｄ−１）で表される化合物が、下記一般式（Ｄ−２）で表される化合物である請求項１〜３のいずれかに記載の有機電界発光素子。
【化１１３】
2011054927.tif 000013
（一般式（Ｄ−２）中、Ｒ１〜Ｒ１１はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｂ１はメチル基、イソブチル基、又はネオペンチル基である。ｋは、１〜３の整数である。）
【請求項５】
前記一般式（Ｄ−１）で表される化合物が、下記一般式（Ｄ−３）で表される化合物である請求項１〜３のいずれかに記載の有機電界発光素子。
【化１１４】
2011054927.tif 000014
（一般式（Ｄ−３）中、Ｒ１〜Ｒ１１はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｂ１はメチル基、イソブチル基、又はネオペンチル基である。ｋは、１〜３の整数である。）
【請求項６】
前記一般式（Ｄ−１）で表される化合物が、下記一般式（Ｄ−４）で表される化合物である請求項１〜３のいずれかに記載の有機電界発光素子。
【化１１５】
2011054927.tif 000015
（一般式（Ｄ−４）中、Ｒ１〜Ｒ１１はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｂ１はメチル基、イソブチル基、又はネオペンチル基である。ｋは、１〜３の整数である。）
【請求項７】
前記一般式（Ｄ−１）で表される化合物が、下記一般式（Ｄ−５）で表される化合物である請求項１〜３のいずれかに記載の有機電界発光素子。
【化１１６】
2011054927.tif 000016
（一般式（Ｄ−５）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはメチル基、イソブチル基、又はネオペンチル基である。Ｄ１はフッ素原子、トリフルオロメチル基、シアノ基から選択される電子求引性基である。Ｄ１はＲ５’〜Ｒ８’中のいずれかに置換する。複数のＤ１は同一であっても異なっていてもよい。）ｋは、１〜３の整数である。ｐは、１〜４の整数である。）
【請求項８】
前記一般式（Ｄ−１）で表される化合物が、下記一般式（Ｄ−６）で表される化合物である請求項１〜３のいずれかに記載の有機電界発光素子。
【化１１７】
2011054927.tif 000017
（一般式（Ｄ−６）中、Ｒ１’〜Ｒ７’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ７’のうち少なくとも一つはアルキル基である。Ｂ１はメチル基、イソブチル基、又はネオペンチル基である。）
【請求項９】
前記一般式（Ｄ−１）で表される化合物が、下記一般式（Ｄ−７）で表される化合物である請求項１〜３のいずれかに記載の有機電界発光素子。
【化１１８】
2011054927.tif 000018
（一般式（Ｄ−７）中、Ｒ１’〜Ｒ７’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ７’のうち少なくとも一つはアルキル基である。Ｂ１はメチル基、イソブチル基、又はネオペンチル基である。）
【請求項１０】
前記一般式（１）で表される化合物と前記一般式（Ｄ−１）で表される化合物とを少なくとも一種ずつ含有する発光層が、ウエットプロセスで形成されたことを特徴とする請求項１〜９のいずれかに記載の有機電界発光素子。
【請求項１１】
下記一般式（１）で表される化合物と一般式（Ｄ−１）で表される化合物とを少なくとも一種ずつ含有することを特徴とする組成物。
【化１１９】
2011054927.tif 000019
（式中、Ｒ１１〜Ｒ１８はそれぞれ独立に水素原子、アルキル基、脂環式炭化水素基、アリール基、フッ素基、シアノ基、シリル基、又はヘテロ環基を表す。Ｃｚ１１、及びＣｚ１２はそれぞれ独立に下記部分構造（Ｃｚ−１）を表す。）
【化１２０】
2011054927.tif 000020
（式中、Ｒ１９〜Ｒ１１６はそれぞれ独立に水素原子又はアルキル基を表す。Ｓ１１は上記（ａ）〜（ｅ）のいずれかで表される基を表し、Ｒ１９〜Ｒ１１２中のいずれかひとつとして置換する。ｎは０又は１の整数を表す。）
【化１２１】
2011054927.tif 000021
（一般式（Ｄ−１）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはアルキル基又はアリール基である。ｋは０〜３の整数である。）
【請求項１２】
下記一般式（１）で表される化合物と一般式（Ｄ−１）で表される化合物とを少なくとも一種ずつ含有することを特徴とする発光層。
【化１２２】
2011054927.tif 000022
（式中、Ｒ１１〜Ｒ１８はそれぞれ独立に水素原子、アルキル基、脂環式炭化水素基、アリール基、フッ素基、シアノ基、シリル基、又はヘテロ環基を表す。Ｃｚ１１、及びＣｚ１２はそれぞれ独立に下記部分構造（Ｃｚ−１）を表す。）
【化１２３】
2011054927.tif 000023
（式中、Ｒ１９〜Ｒ１１６はそれぞれ独立に水素原子又はアルキル基を表す。Ｓ１１は上記（ａ）〜（ｅ）のいずれかで表される基を表し、Ｒ１９〜Ｒ１１２中のいずれかひとつとして置換する。ｎは０又は１の整数を表す。）
【化１２４】
2011054927.tif 000024
（一般式（Ｄ−１）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはアルキル基又はアリール基である。ｋは０〜３の整数である。）
【請求項１３】
請求項１〜１０のいずれかに記載の有機電界発光素子を用いた発光装置。
【請求項１４】
請求項１〜１０のいずれかに記載の有機電界発光素子を用いた表示装置。
【請求項１５】
請求項１〜１０のいずれかに記載の有機電界発光素子を用いた照明装置。
【手続補正２】
【補正対象書類名】明細書
【補正対象項目名】０００９
【補正方法】変更
【補正の内容】
【０００９】
この課題は下記手段によって達成された。
＜１＞
基板上に、一対の電極と、該電極間に発光材料を含有する発光層を含む少なくとも一層の有機層を有する有機電界発光素子であって、該発光層が、下記一般式（１）で表される化合物と一般式（Ｄ−１）で表される化合物とを少なくとも一種ずつ含有することを特徴とする有機電界発光素子。
【化１２５】
2011054927.tif 000025
（式中、Ｒ１１〜Ｒ１８はそれぞれ独立に水素原子、アルキル基、脂環式炭化水素基、アリール基、フッ素基、シアノ基、シリル基、又はヘテロ環基を表す。Ｃｚ１１、及びＣｚ１２はそれぞれ独立に下記部分構造（Ｃｚ−１）を表す。）
【化１２６】
2011054927.tif 000026
（式中、Ｒ１９〜Ｒ１１６はそれぞれ独立に水素原子又はアルキル基を表す。Ｓ１１は下記（ａ）〜（ｅ）のいずれかで表される基を示し、Ｒ１９〜Ｒ１１２中のいずれかひとつとして置換する。ｎは０又は１の整数を表す。）
【化１２７】
2011054927.tif 000027
【化１２８】
2011054927.tif 000028
（一般式（Ｄ−１）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはアルキル基又はアリール基である。ｋは０〜３の整数であり、ｋが０の場合のＲ１’〜Ｒ８’の炭素数の総数は２以上である。）
ただし、基板上に、一対の電極と、該電極間に発光材料を含有する発光層を含む少なくも一層の有機層を有する有機電界発光素子であって、該発光層が、下記一般式（１）’でされる化合物と一般式（Ｄ−１）’で表される化合物とを少なくとも一種ずつ含有することを特徴とする有機電界発光素子を除く。
【化１２９】
2011054927.tif 000029
（式中、Ｒ１１’〜Ｒ１８’はそれぞれ独立に水素原子、アルキル基、又はアリール基を表す。Ｃｚ１１’、及びＣｚ１２’はそれぞれ独立に下記部分構造（Ｃｚ−１）’を表す。）
【化１３０】
2011054927.tif 000030
（式中、Ｒ１９’〜Ｒ１１６’はそれぞれ独立に水素原子又はアルキル基を表す。Ｓ１１’は下記（ａ）’〜（ｅ）’のいずれかで表される基を示し、Ｒ１９’〜Ｒ１１２’中のいずれかひとつとして置換する。ｎ’は０又は１の整数を表す。）
【化１３１】
2011054927.tif 000031
【化１３２】
2011054927.tif 000032
（一般式（Ｄ−１）’中、Ｒ１’〜Ｒ１２’はそれぞれ独立に水素原子、アルキル基、アリール基、フッ素基、又はシアノ基を表す。Ｒ１’’〜Ｒ８’’はそれぞれ独立に水素原子、アルキル基、フッ素基、トリフルオロメチル基、又はシアノ基を表す。Ｒ１’〜Ｒ１２’及びＲ１’’〜Ｒ８’’のうち少なくとも一つはアルキル基又はアリール基である。ｋ’は０〜３の整数であり、ｋ’が０の場合のＲ１’’〜Ｒ８’’の炭素数の総数は２以上である。）
＜２＞
前記一般式（１）で表される化合物が、下記一般式（２）で表されることを特徴とする＜１＞に記載の有機電界発光素子。
【化１３３】
2011054927.tif 000033
（式中、Ｒ２１〜Ｒ２８は水素原子、アルキル基、脂環式炭化水素基、アリール基、フッ素基、シアノ基、シリル基、又はヘテロ環基を表す。Ｃｚ２１、Ｃｚ２２はそれぞれ独立に下記部分構造（Ｃｚ−２）をあらわす。）
【化１３４】
2011054927.tif 000034
（式中、Ｒ２９〜Ｒ２１５は水素原子又はアルキル基を表す。Ｓ２１は上記（ａ）〜（ｅ）のいずれかで表される基を表す。）
＜３＞
前記一般式（１）で表わされる化合物が、下記一般式（３）で表されることを特徴とする＜１＞に記載の有機電界発光素子。
【化１３５】
2011054927.tif 000035
（式中、Ｒ３１〜Ｒ３８は水素原子、アルキル基、脂環式炭化水素基、アリール基、フッ素基、シアノ基、シリル基、又はヘテロ環基を表す。Ｃｚ３１、Ｃｚ３２はそれぞれ独立に下記部分構造（Ｃｚ−３）をあらわす。）
【化１３６】
2011054927.tif 000036
（式中、Ｒ３９〜Ｒ３１５は水素原子又はアルキル基を表す。Ｓ３１は上記（ａ）〜（ｅ）のいずれかで表される基を表す。）
＜４＞
前記一般式（Ｄ−１）で表される化合物が、下記一般式（Ｄ−２）で表される化合物である＜１＞〜＜３＞のいずれかに記載の有機電界発光素子。
【化１３７】
2011054927.tif 000037
（一般式（Ｄ−２）中、Ｒ１〜Ｒ１１はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｂ１はメチル基、イソブチル基、又はネオペンチル基である。ｋは、１〜３の整数である。）
＜５＞
前記一般式（Ｄ−１）で表される化合物が、下記一般式（Ｄ−３）で表される化合物である＜１＞〜＜３＞のいずれかに記載の有機電界発光素子。
【化１３８】
2011054927.tif 000038
（一般式（Ｄ−３）中、Ｒ１〜Ｒ１１はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｂ１はメチル基、イソブチル基、又はネオペンチル基である。ｋは、１〜３の整数である。）
＜６＞
前記一般式（Ｄ−１）で表される化合物が、下記一般式（Ｄ−４）で表される化合物である＜１＞〜＜３＞のいずれかに記載の有機電界発光素子。
【化１３９】
2011054927.tif 000039
（一般式（Ｄ−４）中、Ｒ１〜Ｒ１１はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｂ１はメチル基、イソブチル基、又はネオペンチル基である。ｋは、１〜３の整数である。）
＜７＞
前記一般式（Ｄ−１）で表される化合物が、下記一般式（Ｄ−５）で表される化合物である＜１＞〜＜３＞のいずれかに記載の有機電界発光素子。
【化１４０】
2011054927.tif 000040
（一般式（Ｄ−５）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはメチル基、イソブチル基、又はネオペンチル基である。Ｄ１はフッ素原子、トリフルオロメチル基、シアノ基から選択される電子求引性基である。Ｄ１はＲ５’〜Ｒ８’中のいずれかに置換する。複数のＤ１は同一であっても異なっていてもよい。）ｋは、１〜３の整数である。ｐは、１〜４の整数である。）
＜８＞
前記一般式（Ｄ−１）で表される化合物が、下記一般式（Ｄ−６）で表される化合物である＜１＞〜＜３＞のいずれかに記載の有機電界発光素子。
【化１４１】
2011054927.tif 000041
（一般式（Ｄ−６）中、Ｒ１’〜Ｒ７’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ７’のうち少なくとも一つはアルキル基である。Ｂ１はメチル基、イソブチル基、又はネオペンチル基である。）
＜９＞
前記一般式（Ｄ−１）で表される化合物が、下記一般式（Ｄ−７）で表される化合物である＜１＞〜＜３＞のいずれかに記載の有機電界発光素子。
【化１４２】
2011054927.tif 000042
（一般式（Ｄ−７）中、Ｒ１’〜Ｒ７’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ７’のうち少なくとも一つはアルキル基である。Ｂ１はメチル基、イソブチル基、又はネオペンチル基である。）
＜１０＞
前記一般式（１）で表される化合物と前記一般式（Ｄ−１）で表される化合物とを少なくとも一種ずつ含有する発光層が、ウエットプロセスで形成されたことを特徴とする＜１＞〜＜９＞のいずれかに記載の有機電界発光素子。
＜１１＞
下記一般式（１）で表される化合物と一般式（Ｄ−１）で表される化合物とを少なくとも一種ずつ含有することを特徴とする組成物。
【化１４３】
2011054927.tif 000043
（式中、Ｒ１１〜Ｒ１８はそれぞれ独立に水素原子、アルキル基、脂環式炭化水素基、アリール基、フッ素基、シアノ基、シリル基、又はヘテロ環基を表す。Ｃｚ１１、及びＣｚ１２はそれぞれ独立に下記部分構造（Ｃｚ−１）を表す。）
【化１４４】
2011054927.tif 000044
（式中、Ｒ１９〜Ｒ１１６はそれぞれ独立に水素原子又はアルキル基を表す。Ｓ１１は上記（ａ）〜（ｅ）のいずれかで表される基を表し、Ｒ１９〜Ｒ１１２中のいずれかひとつとして置換する。ｎは０又は１の整数を表す。）
【化１４５】
2011054927.tif 000045
（一般式（Ｄ−１）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはアルキル基又はアリール基である。ｋは０〜３の整数である。）
＜１２＞
下記一般式（１）で表される化合物と一般式（Ｄ−１）で表される化合物とを少なくとも一種ずつ含有することを特徴とする発光層。
【化１４６】
2011054927.tif 000046
（式中、Ｒ１１〜Ｒ１８はそれぞれ独立に水素原子、アルキル基、脂環式炭化水素基、アリール基、フッ素基、シアノ基、シリル基、又はヘテロ環基を表す。Ｃｚ１１、及びＣｚ１２はそれぞれ独立に下記部分構造（Ｃｚ−１）を表す。）
【化１４７】
2011054927.tif 000047
（式中、Ｒ１９〜Ｒ１１６はそれぞれ独立に水素原子又はアルキル基を表す。Ｓ１１は上記（ａ）〜（ｅ）のいずれかで表される基を表し、Ｒ１９〜Ｒ１１２中のいずれかひとつとして置換する。ｎは０又は１の整数を表す。）
【化１４８】
2011054927.tif 000048
（一般式（Ｄ−１）中、Ｒ１〜Ｒ１２はそれぞれ独立に水素原子、アルキル基、脂環式炭化水素基、アリール基、フッ素基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１’〜Ｒ８’はそれぞれ独立に水素原子、アルキル基、脂環式炭化水素基、アリール基、フッ素基、トリフルオロメチル基、アミノ基、アルコキシ基、アリールオキシ基、ヘテロ環オキシ基、アルキルチオ基、アリールチオ基、ヘテロ環チオ基、シアノ基、ヘテロ環基、シリル基、又はシリルオキシ基を表す。Ｒ１〜Ｒ１２及びＲ１’〜Ｒ８’のうち少なくとも一つはアルキル基又はアリール基である。ｋは０〜３の整数である。）
＜１３＞
＜１＞〜＜１０＞のいずれかに記載の有機電界発光素子を用いた発光装置。
＜１４＞
＜１＞〜＜１０＞のいずれかに記載の有機電界発光素子を用いた表示装置。
＜１５＞
＜１＞〜＜１０＞のいずれかに記載の有機電界発光素子を用いた照明装置。
〔１〕
基板上に、一対の電極と、該電極間に発光材料を含有する発光層を含む少なくとも一層の有機層を有する有機電界発光素子であって、該発光層が、下記一般式（１）で表される化合物と一般式（Ｄ−１）で表される化合物とを少なくとも一種ずつ含有することを特徴とする有機電界発光素子。
【手続補正３】
【補正対象書類名】明細書
【補正対象項目名】０２２３
【補正方法】変更
【補正の内容】
【０２２３】
以下、実施例１−１〜１−１５、１−１７〜１−３３、１−３５〜１−３９、１−４１、１−４２、２−１〜２−９、３−１〜３−２１、４−１〜４−９、５−１〜５−１７、６−１〜６−１２、７−１〜７−２１は「実施例」とあるのを「参考例」と読み替えるものとする。
〔有機電解発光素子の作製〕
＜実施例１＞
［比較例１−１の素子の作製］
洗浄したＩＴＯ基板を蒸着装置に入れ、銅フタロシアニンを１０ｎｍ蒸着し、この上に、ＮＰＤ（Ｎ，Ｎ’−ジ−α−ナフチル−Ｎ，Ｎ’−ジフェニル）−ベンジジン）を７０ｎｍ蒸着した（正孔輸送層）。この上に、Ｈ−１とＡ−１を９０：１０の比率（質量比）で３０ｎｍ蒸着した（発光層）。この上に、ＢＡｌｑ［ビス−（２−メチル−８−キノリノレート）−４−（フェニルフェノレート）アルミニウム］を３０ｎｍ蒸着した（電子輸送層）。この上に、フッ化リチウムを３ｎｍ蒸着した後、アルミニウム６０ｎｍを蒸着した。このものを、大気に触れさせること無く、アルゴンガスで置換したグローブボックス内に入れ、ステンレス製の封止缶及び紫外線硬化型の接着剤（ＸＮＲ５５１６ＨＶ、長瀬チバ（株）製）を用いて封止し、比較例１−１の有機電界発光素子を得た。東陽テクニカ製ソースメジャーユニット２４００型を用いて、直流定電圧をＥＬ素子に印加して発光させた結果、Ａ−１に由来するりん光発光が得られた。